(57)【特許請求の範囲】
【請求項１】
吸入口の形成された袋本体に、導入口の形成された支持板が前記吸入口と導入口とが合致するように取り付けられ、掃除機内に装着される集塵袋において、
支持板は、装着調節手段によって複数種の掃除機への装着が可能とされ、
導入口よりも小径の挿入口の形成された、JIS K7127に準じて測定した残留歪が６５％以下、JIS K7127に準じて測定した１００％伸長時張力が１２００g/cm以下、JIS Z1702に準じて測定した破断強度が１００kg／cm2以上である合成樹脂製の密着フィルムが、導入口と挿入口とが同心円状になるように、支持板上に剥離自在に貼着されていることを特徴とする共用型集塵袋。
【請求項２】
前記密着フィルムは、JIS K7127に準じて測定した残留歪が５０％以下、JIS K7127に準じて測定した１００％伸長時張力が１０００g/cm以下、JIS Z1702に準じて測定した破断強度が１００kg／cm2以上であることを特徴とする請求項１記載の共用型集塵袋。
【請求項３】
前記密着フィルムは、JIS K7127に準じて測定した残留歪が４５％以下、JIS K7127に準じて測定した１００％伸長時張力が９５０g/cm以下、JIS Z1702に準じて測定した破断強度が１４０kg／cm2以上であることを特徴とする請求項１記載の共用型集塵袋。
【請求項４】
前記装着調節手段は、支持板から分離することにより支持板の大きさまたは形状を変化させる分離可能体であることを特徴とする請求項１〜３のいずれかに記載の共用型集塵袋。
【請求項５】
前記装着調節手段は、支持板に装着することにより支持板の大きさまたは形状を変化させる装着可能体であることを特徴とする請求項１〜３のいずれかに記載の共用型集塵袋。
【発明の詳細な説明】
【０００１】
【発明の属する技術分野】
本発明は電気掃除機に用いられる使い捨ての集塵袋に関するもので、特に、電気掃除機の集塵室内の取付具の形状等が異なる複数種の電気掃除機に対応することのできる共用型集塵袋に関するものである。
【０００２】
【従来の技術】
一般の電気掃除機は、吸引モータと吸引ホースとの間に集塵袋を配備し、吸引ホースで吸い取られた塵埃を集塵袋に補捉するものである。
集塵袋としては、簡便性や衛生的である等の点から、使い捨てタイプのものが広く使用されている。
また、電気掃除機は多くのメーカーから専用タイプの集塵袋と共に種々のものが市場に供給されており、その規格は各メーカー毎に多種多様である。また、同一メーカー内においても機種によって規格が相違している場合もある。例えば、機種に応じて、支持板を電気掃除機の集塵室に固定する取付具の形状や大きさ、突起物の位置等が異なり、また、吸引ホースの口径が異なっており、さらには、口径の太い吸引ホースの場合のようにその先端が取付具を貫通しないタイプや、口径の細い吸引ホースの場合のようにその先端が取付具を貫通し、集塵袋の内部に突出して固定されるもの等がある。したがって、各電気掃除機メーカーから供給されている集塵袋には互換性が乏しく、甲社製品に使用し得る集塵袋を乙社製品に使用することは原則としてできないのが実情である。
その為、集塵袋を買い足すには、各機種の専用品を探し求めなければならず、使用者には甚だ不便である。また、電気掃除機を他メーカーに買い替えると、それ以前に使用していた集塵袋が使用し得なくなってしまう。また、複数種の電気掃除機の保有者は、それに応じて複数種の集塵袋を備えておかなければならない。
【０００３】
そこで、このような不具合を解決すべく、複数種の電気掃除機に対応し得る共用型集塵袋が種々考えられ、普及している。
そのような集塵袋としては、例えば図５に示すようなものが知られている。図示例の集塵袋１０は、通気性のある紙製の袋本体１１と、略四辺形の支持板１２とからなり、袋本体１１に穿設された吸入口１３と支持板１２のほぼ中央に穿設された導入口１４とが合致するように、袋本体１１の表面に支持板１２の裏面が接着固定されてなるものである。市販されている電気掃除機の中でも吸引ホースの口径の太いものにも対応できるように、導入口１４の直径は一般に約５２mmとされている。
【０００４】
この集塵袋では、図５に示すように、略四辺形状の支持板１２の一つの辺（第一辺）の近傍に、その辺に平行な２条のミシン目等による切取りガイド５２が形成され、その第一辺と対向する辺（第三辺）の中央部には、長方形状の切欠き１７が形成されている。また、この第三辺に直交する一方の辺（第四辺）には、その中央部に短い切欠き４０が形成され、その切欠き４０と第三辺の間に長い切欠き３９が形成されている。さらに、その第四辺に対向する辺（第二辺）の近傍の中央部には、取付孔１９が穿設されている。
切取りガイド５２及び切欠き１７は、支持板１２の寸法（大きさ）を変え、取付具に装着するときの高さを調整するものであり、切欠き４０及び取付孔１９は、取付具に突設されている突起に嵌合する為のものであり、切欠き３９は取付具に突設されている突起への当りを回避する為のものである。
こうした切欠き等によって、多種類の電気掃除機に装着できるようになっている。
また、導入口１４の周囲には発泡プラスチックからなる円環状で厚さが１〜２mmの発泡体パッキン１５が貼着されている。この発泡体パッキン１５は、各種の電気掃除機の取付具と支持板１２の間の密封性を高めるためのものであり、共用型集塵袋だからこそ必要な部材であって、１機種にだけ対応する専用型集塵袋には不要なものである。
【０００５】
このような集塵袋は、電気掃除機内に設けられた取付具に着脱自在に装着される。例えば、図６に示すように、取付具１６に穿設されている接続口１８と支持板１２の導入口１４とが一致するように合せ、取付具１６に付設されているフック２０によって支持板１２を取付具１６に固定する。この固定された状態においては、導入口１４の周囲に形成された発泡体パッキン１５が、取付具１６の接続口１８の周囲に当接する。そして、集塵袋の反対側から取付具１６の接続口１８に取り付けられた吸引ホース（図示略）によって吸い上げられた空気及び塵埃は、接続口１８、導入口１４を経て外部に漏れることなく袋本体１１内に導入される。
【０００６】
取付具１６と、これに装着された支持板１２の密封性についてさらに詳説する。
図７に示すものは、吸引ホース２４の口径が大きく（例えば、４０〜４２φ）、吸引ホース２４の先端が取付具１６を貫通しないタイプのものである。この例のものでは、支持板１２に貼着された発泡体パッキン１５は取付具１６の内面２３に面接触すると共に、取付具１６に設けられているゴム製パッキン２２の外周面にも支持板１２の導入口１４の壁面２１が当接し、取付具１６と支持板１２の間の密封性が保たれている。
また、図８に示すものは、吸引ホース２４の口径が小さく（例えば、３６φ）、吸引ホース２４の先端が取付具１６を貫通するタイプのものである。この例のものでは、支持板１２の導入口１４の直径が取付具１６のゴム製パッキン２２の外周の直径よりも大きいので、ゴム製パッキン２２の外周面に支持板１２の導入口１４の壁面２１が当接することはないが、支持板１２に貼着された発泡体パッキン１５が取付具１６の内面２３に面接触することにより、取付具１６と支持板１２の間の密封性が保たれている。また、この例のものでは、取付具１６にゴム製の舌片状パッキン２６が設けられている。舌片状パッキン２６は、取付具１６の接続口１８へ吸引ホース２４を挿入することによって吸引ホース２４に沿って押し込まれ、吸引ホース２４の周面に密着し、逆流防止機能を発揮するものである。
【０００７】
【発明が解決しようとする課題】
しかしながら、この複数種の電気掃除機に共用できる為の発泡体パッキン１５が設けられていることによって、かえって取付具１６と支持板１２の間の密封性、即ち、エアータイト性が損なわれることがあった。
例えば、使用者が支持板を購入し、取付具に装着する迄ないしその装着作業中において、発泡体パッキンを何等かに接触させることにより、発泡体パッキンに窪み等の傷をつけてしまうおそれがある。そのような傷がついた発泡体パッキンであると、密封性が損なわれ、エアータイト性が低下してしまう。
また、本来、取付具は専用型の集塵袋を装着することのみを念頭に設計されている。その為、発泡体パッキン付の支持板を装着すると、その発泡体パッキンの厚さに起因して、取付具に装着した支持板が反るなど変形してしまい、取付具と支持板の間でのエアータイト性が低下してしまう。さらに、その発泡体パッキンが存在することによって支持板を円滑に装着することが難しくなり、使用者はそれを克服して装着しようとする為、支持板が変形してしまうことがある。特に、共用型集塵袋であると、使用者が不適切に装着してしまった後に装着し直すことがあり、支持板に変形癖が付いてしまうことがある。
特に、図８に示したような発泡体パッキン１５と取付具１６の内面の接触だけでエアータイト性を確保するタイプであると、支持板１２の反り等の変形は致命的になりやすく、また、集塵動作時の急激な減圧状態で生じる支持板の反りに対しては対処できない。
【０００８】
近年特に、電気掃除機の吸引力は格段に増強化されており、より強固なエアータイト性が要求されるようになっており、上述したようなエアータイト性の低下要因を内包する発泡体パッキン付の支持板であると、吸引力の高い電気掃除機に十分に対応することができない。特に、使用時における吸引した空気の流動や振動等により隙間が広がり、エアータイト性が大きく損なわれてしまうことがある。このようなエアータイト性の低い集塵袋であると、吸引した空気や塵埃が袋本体外に散乱してしまう他、掃除機自体の故障を誘引することもある。
【０００９】
本発明は前記課題を解決するためになされたもので、複数種の電気掃除機に対応することのできる共用型集塵袋において、エアータイト性をより高めることを目的とするものである。
【００１０】
【課題を解決するための手段】
本発明の共用型集塵袋は、発泡体パッキンを不要としつつエアータイト性を高めたもので、吸入口の形成された袋本体に、導入口の形成された支持板が前記吸入口と導入口とが合致するように取り付けられ、掃除機内に装着される集塵袋において、
支持板は、装着調節手段によって複数種の掃除機への装着が可能とされ、
導入口よりも小径の挿入口の形成された合成樹脂製の密着フィルムが、導入口と挿入口とが同心円状になるように、支持板上に剥離自在に貼着されていることを特徴とするものである。
ここで、密着フィルムは、JIS K7127に準じて測定した残留歪が６５％以下、JIS K7127に準じて測定した１００％伸長時張力が１２００g/cm以下、JIS Z1702に準じて測定した破断強度が１００kg／cm2以上であることが望ましい。
また、残留歪が５０％以下、１００％伸長時張力が１０００g/cm以下、破断強度が１００kg／cm2以上であればより望ましい。
さらには、残留歪が４５％以下、１００％伸長時張力が９５０g/cm以下、破断強度が１４０kg／cm2以上であればより望ましい。
また、装着調節手段としては、支持板から分離することにより支持板の大きさまたは形状を変化させる分離可能体、または、支持板に装着することにより支持板の大きさまたは形状を変化させる装着可能体が望ましい。
【００１１】
【発明の実施の形態】
本発明の共用型集塵袋は、図１に示すように、袋本体１１と、袋本体１１に取り付けられた支持板３０と、支持板３０に貼着された密着フィルム３２とで概略構成される。
袋本体１１は、吸引ホースから吸い込んだ塵埃を補捉するもので、吸引ホースからの空気を取入れる吸入口１３が形成されると共に、通気性のある材質、例えば、紙、多孔性樹脂フィルム、布、不織布等で構成され、単層または多層体が適用される。また、袋本体１１内には、殺ダニ剤、殺菌剤、殺虫剤等の活性物質を付着、または、それらの活性物質からなるシートを設けておくこともできる。
また、袋本体１１の形状は特に限られるものではないが、使用前において折畳められ、各種の電気掃除機の所定箇所に納置できるようにされ、電気掃除機の作動時には、より多く塵埃を補捉できるように電気掃除機の所定箇所において膨らむものとされる。
尚、吸入口１３の大きさ及び形状は、通常、支持板３０の導入口１４と同じものとされる。
【００１２】
支持板３０は、適度な可撓性と剛性を有する板状のもので、ボール紙板、プラスチック板、金属プレートなどからなる単層または多層体からなる。
支持板３０の略中央には、導入口１４が形成される。この導入口１４は、各種の電気掃除機の吸引ホースの中でも、口径の大きいもの（一般に量販されているもので４２mm）にも適用できる大きさとされ、直径が５２mmのものが最適である。この支持板３０は、その裏面が袋本体１１に接着剤層２７を介在させること等によって、導入口１４の周部において強固に固定され、取り付けられる。この際、袋本体１１に形成された吸入口１３と支持板３０に形成された導入口１４とが合致するように取り付けられる。
【００１３】
また、支持板３０には、規格の異なる複数の機種の電気掃除機に装着が可能なように、機種によっては支持板に形成されていることが要求される逆さ挿入防止用凹部、位置決め用スリット、ピン穴、指挿入用穴等として作用する為の複数の一定の台形状切込み４０や切欠穴４２の他、装着調節手段を具備する。
そのような装着調節手段として、図１に示すものでは、ミシン目や切り溝等からなる切取りガイド４４〜４７によって容易に分離可能とされた分離可能体４８〜５１が形成されている。これらの分離可能体を折り曲げる等により切り離すことで、支持板３０の大きさや形状が変化する。例えば、切取りガイド４４で分離可能体４８を切り離すことにより支持板３０の長さが短縮化し、さらに切取りガイド４５で分離可能体４９を切り離すことにより、支持板３０の長さをさらに短縮化することができ、大きさを調整できる。また、切取りガイド４６若しくは切取りガイド４７により、分離可能体５０若しくは分離可能体５１を切り離して、新たな切込みを容易に形成し、形状を調整することができる。
こうして支持板の大きさや形状等を集塵袋を取付けようとする電気掃除機の機種に対応して変化、調整することで、規格の異なる様々な電気掃除機に取付けることが可能となる。
尚、図１に示す支持板３０においては、切取りガイド４４，４５での切取り作業をより容易に行えるように、切取りガイド４４，４５の両端部において、狭幅部５２が形成されている。
【００１４】
このような分離可能体は電気掃除機の複数種の規格に対応し得る為になされるもので、その位置、形状、大きさは必要に応じて設計される。したがって、図１に示したものに限られるものではなく、例えば、図２に示すようなものでもよい。図２に示す支持板３１では、図１で示した支持板３０では台形状切込み４０とされていたものが、分離可能体４１とされており、分離可能体５０の形成されていた位置に位置決めピン用の穴４３が穿設されている。
こうした分離可能体は、多種類の電気掃除機に取り付けるのに支障の生じない範囲で、予め取り外しておいて切込み等としておくことで使用者の負担を軽減できる。
【００１５】
さらに、装着調節手段は、支持板から切り離す分離体に限らず、支持板に装着することにより支持板の大きさまたは形状等を変化させる装着可能体であっても良い。例えば、図３に示すような装着可能体５４，６０が挙げられる。
図示例の装着可能体５４は、軸部材５５と、第１板材５６、第２板材５８、第３板材５７とで概略構成される。軸部材５５の長さは支持板６４の幅とほぼ等しく、軸部材５５の幅は支持板６４の厚みと等しくされている。
また、第１板材５６と第３板材５７は軸部材５５の両端部において、軸部材５５の同一側面に設けられている。第２板材５８は軸部材５５の中央部において、第１板材５６及び第３板材５７とは反対側の側面に設けられている。また、第１板材５６、第２板材５８、第３板材５７の同じ高さに軸部材５５が位置するように固定されている。
装着可能体５４は、軸部材５５、第１板材５６、第２板材５８、第３板材５７の各部品を別成形した後に組み立ててもよいが、一体成形によって製造することもできる。また、装着可能体５４はある程度の剛性を有するものであればよく、硬質紙材の他、ポリアミド、塩化ビニル、ポリプロピレン等の硬質合成樹脂、ジュラルミン、ブリキ、ステンレス等の金属等が適用されるが、射出成形により容易に一体成形でき、挾持力、コストや耐久性等の面から、合成樹脂によるものが好適である。
【００１６】
このような装着可能体５４であると、支持板６４の一辺に、軸部材５５を当接することで、支持板６４の一辺の縁部６６が、第２板材５８と第１板材５６及び第３板材５７の間に挟まれ、装着可能体５４が支持板６４に装着、一体化され、支持板６４の長さが延長される。したがって、この延長量を市販の電気掃除機に応じて調整しておけば、電気掃除機の機種に応じて必要とされる長さに対応することが可能となる。
しかも、切り抜いて共用性を発揮させる分離可能体であると、使用者が誤って切り取るべきでない箇所を一旦切り取ってしまうと、修復が困難で、使用し得なくなるおそれがあるが、この装着可能体によるものであると、誤って取り付けても、取り外して正規のものを取り付け直せばよく、非常に便利である。
尚、各板材５６〜５７の形状や大きさは、より多種類の電気掃除機への装着を可能ならしめるようなものとされているれば良く、図示例のものに限られるものでないことは勿論のことである。
また、装着可能体５４と支持板６４の縁部６６とに、互いに嵌合し合う凸部や凹部などを形成しておくことにより、装着可能体５４と支持板６４の装着がより確実、安定化できる。
【００１７】
また、板状の装着可能体６０はこの装着可能体５４にさらに取り付けられることにより、支持板６４の延長補足用として機能するもので、支持板６４と同じ厚さとされている。この装着可能体６０を軸部材５５に当接することで、装着可能体６０の一辺の縁部６８が、第２板材５８と第１板材５６及び第３板材５７の間に挟まれ、装着可能体６０が装着可能体５４に装着、一体化され、より長く支持板６４の長さが延長される。したがって、さらに長さを必要とする電気掃除機に対しても適用可能となる。
尚、指挿入用穴を要する電気掃除機に対応できるように、指挿入用穴を装着可能体６０に穿設しておいてもかまわないのは勿論のことである。
また、この装着可能体６０であると、切取りガイド６３によって、第１延長板６１と第２延長板６２とに容易に分離することができ、装着可能体６０による支持板６４の延長量の微調整が可能である。
また、この装着可能体について、高さの異なる複数種のものを用意しておけば、より多くの電気掃除機への対応が可能となり、適用の幅を広げることができる。
尚、図３に示す支持板６４においては、図２に示した支持板３１における穴４３も切取りガイドによって抜き取り可能な分離可能体５３とされている。
【００１８】
さらに、図１に示すように、支持板３０には、合成樹脂からなる弾性を有する密着フィルム３２が貼着される。密着フィルムの外形は特に限られるものではなく、四角形、円形等で良く、また、その大きさも少なくとも導入口１４よりも大きく支持板３０に十分に貼着され得るものであればどのようなものでも良いが、装着調節手段の妨げとならないことが必要である。
密着フィルム３２には、導入口１４よりも小径の挿入口３４が形成されている。この挿入口３４の大きさは、径寸法で２２〜３２mmの範囲で、各種の電気掃除機の吸引ホースの中でも、口径の小さいもの（一般に量販されているもので３６mm）よりもさらに小さい大きさとされる。挿入口が大き過ぎるとエアータイト性が損なわれ、小さ過ぎると吸引ホースの挿入ができなくなる。現状においては、直径を２３〜２４mmとすることが、吸引ホースの口径が３６mmのものから３９mmのものにそのまま共用でき、エアータイト性に優れるので好ましい。
そして、その導入口１４と挿入口３４とが連通するように、望ましくは、導入口１４の中心と挿入口３４の中心とが一致するように、密着フィルム３２は導入口１４の周辺部３６において支持板３０の表面、即ち、袋本体１１の取り付けられていない側の面に貼着される。
尚、挿入口３４、導入口１４及び吸入口１３の形状は必ずしも円形である必要はないものの、通常の電気掃除機における吸引ホースないし取付具の接続口が円形であることから、同様の円形であることが望ましい。また、取付具に舌片状パッキンが設けられている場合に、その舌片状パッキンをよりタイトに押しつけるべく、密着フィルムにも放射線状に６〜８分割してなる舌片を形成しておくことも望ましい。
【００１９】
密着フィルム３２の支持板３０への貼着は、集塵袋の電気掃除機への取付前は勿論のこと、使用中においても自然に剥離しない程度の貼着強度が必要であるが、使用者が故意に密着フィルム３２を支持板３０から剥がすべく作業を施した際には、容易に剥離できる程度の貼着強度とし、剥離自在である必要がある。
そのような貼着強度としては、１００〜３５０g/15mmが好ましい。１００g/15mm未満であると、不用意に密着フィルム３２が剥がれてしまうおそれがあり、３５０g/15mmよりも大きいと、剥離作業が困難になるからである。貼着強度は、剥離速度３００mm／分の９０゜剥離試験により求まる。
この密着フィルム３２の支持板３０への貼着方法は特に限られるものではないが、ヒートシールによる手段の他、接着剤による接着剤層２９を設けて行うことが簡便である。接着剤は特に限られるものではなく、支持板や密着フィルムの材質や、製造工程での利便性に応じて、ＥＶＡ系、エポキシ系、イソシアネート系等が適宜選択され、また、感圧型、ホットメルト等の感熱型等が必要に応じて選ばれる。また、薄型両面粘着テープを介在させる手段であっても良い。
【００２０】
このように、本発明における密着フィルム３２の支持板３０への貼着は、所定の強度さえ発揮すれば接着剤による支持板３０の片面のみへの貼着で行え得るので、密着フィルム３２を支持板３０に固定する為に、密着フィルムの一部を補強したり、固定用突片を形成したり、または固定用ベルト等の特別の構成を必要とせず、簡易かつ低コストで製造できる。
また、密着フィルム３２の支持板３０への貼着は、支持板３０の導入口１４の周辺部３６においてなされるが、密着フィルム３２の周縁部もしくは少なくとも１つの角部を非貼着部（参照：図３中、符号６５）としておくことが望ましい。そのような非貼着部を形成しておくことにより、使用者が密着フィルム３２を剥離する際に、その非貼着部を摘み上げることにより、剥離作業を容易化することができるからである。
このように、本発明における剥離においては、支持板３０に貼着されている密着フィルム３２全体を支持板３０から剥離するものであって、密着フィルム３２の一部を切り取る等するものでないので、剥離作業が確実かつ容易に行える。
また、密着フィルムの厚さは、２０〜２１０μｍの範囲において比較的薄いものが好ましく、４０〜１００μｍであることが望ましく、６０〜８０μｍが最適である。このように、密着フィルムは従来の発泡体パッキンに比較して格段に薄いので、その厚さに起因して支持板が変形したり、取付具への装着が困難になったりすることがない。
【００２１】
このような密着フィルムを設けた支持板であると、図４に示すように、取付具１６の接続口１８を貫通した吸引ホース２４は密着フィルム３２の挿入口３４内に挿入され、その先端が袋本体１１の吸入口１３内に位置する。このとき、密着フィルム３２は伸縮性を有するので、挿入口３４は吸引ホース２４の太さに拡径し、吸引ホース２４の外周面に密着する。従って、たとえ取付具と支持板３０の当接が不十分になったとしても、吸引ホース２４で吸い上げられた空気が支持板３０と取付具１６の間から漏れ出すことがなく、高度なエアータイト性が実現される。
また、伸縮性を有する密着フィルム３２の挿入口３４は吸引ホース２４の口径に応じて拡径するので、挿入された吸引ホース２４の口径が挿入口３４よりも幾分大きい場合（例えば、挿入口の口径が２３〜２４mmである場合に、吸引ホースの口径が３６〜３８mm）のときは、そのまま使用に供すればよい。
そして、吸引ホース２４の口径がより大きい場合（例えば、吸引ホースの口径が４０〜４２mm）には、密着フィルム３２を剥がした後に支持板３０を取り付ければよい。この際、密着フィルムこそ除去されるが、支持板には発泡体パッキンが設けられていないので、取付具の設計通りに支持板は取付具に円滑に装着され、高いエアータイト性が確保される。
【００２２】
ところで、伸縮性を有する密着フィルムを用いずに、支持板の導入口の大きさを導入口周部を切取る等の手段によって調整するものであると、吸引ホースの口径が３６mm、３７mm、３８mmのように、僅かに異なる場合の微調整をすることが困難で、他種類の電気掃除機に対応して密封性を高めることが難しいが、本発明のように伸縮性を有する密着フィルムを用いることにより、これらの問題が解決される。
また、取付具１６に舌片状パッキン２６が設けられている場合、密着フィルム３２は、その舌片状パッキン２６を吸引ホース２４の外周面に押しつけ、密着させるので、より高いエアータイト性が確保される。
また、吸引ホースの口径が大きく、かつ吸引ホースを取付具に取り付けた際に、吸引ホースの先端が取付具よりも袋本体側に突出しないタイプの場合には、密着フィルムを剥がした上で支持板を取付具に装着すれば良い。この場合に、密着フィルムを剥がすことができないものであると、密着フィルムが却って吸引ホースから袋本体への円滑な空気の流れの障壁となってしまう。
【００２３】
密着フィルムを構成する材料は、弾性を有する合成樹脂であって、低密度ポリエチレン、直鎖状低密度ポリエチレン、エチレン酢酸ビニル共重合体、改質ポリプロピレン、エチレン・メチルメタアクリレート共重合体樹脂などが適用でき、特に制限されるものではないが、残留歪が６５％以下、１００％伸長時張力が１２００g/cm以下、破断強度が１００kg／cm2以上であることが望ましい。より望ましくは、残留歪が５０％以下、１００％伸長時張力が１０００g/cm以下、破断強度が１００kg／cm2以上である。より望ましくは、残留歪が４５％以下、１００％伸長時張力が９５０g/cm以下、破断強度が１４０kg／cm2以上である。残留歪及び１００％伸長時張力は低い方が良く、破断強度は高いほど望ましいが、一般的に残留歪は１０％以上、１００％伸長時張力は３００g/cm以上、破断強度は４００kg／cm2以下である。
【００２４】
本発明において残留歪とは、JIS K7127に準じて測定されるもので、１５mm幅の試料に対し、チャック間距離を２０mm、引張速度を５００mm／minで２倍に引き延ばした後に解放したときの回復割合を測定したものである。従って、数値が小さい程、回復性が良好であることを示し、残留歪が６５％よりも大きいと、密着フィルムと吸引ホースの間での密着性が不十分となり、エアータイト性が悪化する。特に、吸引ホースの着脱を複数回繰返したときに、吸引ホースへの密着性が低下しやすい。
また、１００％伸張時張力とは、JIS K7127に準じて測定されるもので、１５mm幅の試料に対し、チャック間距離を２０mm、引張速度を５００mm／minで２倍に引き延ばしたときの張力を測定したものである。従って、数値が小さい程、伸び易いことを示し、１００％伸長時張力が１２００g/cmよりも大きいと、伸びにくく、密着フィルムが口径の太い吸引ホースに追随しにくくなり、亀裂が生じ、エアータイト性が悪化するばかりでなく、密着フィルムが破れ易くなる。
【００２５】
また、破断強度はJIS Z1702に準じて測定されるもので、破断強度が１００kg／cm2未満であると、吸引ホースを挿入し、吸引ホースが接触することにより、また、その接触した吸引ホースが回転して密着フィルムに捩れ応力が生じた際に破断しやすくなる。さらには、密着フィルムへの接着剤の塗布作業時、密着フィルムの支持板への貼着作業時や、密着フィルムの支持板からの剥離作業時に、破断し、それらの作業に支障をきたすおそれもある。また、舌片状パッキンの設けられた取付具の場合、その舌片状パッキンが密着フィルムに接触することがあるが、破断強度が小さいと、その舌片状パッキンによって密着フィルムが損傷してしまうおそれがある。
また、この破断強度は、支持板と密着フィルムの間の貼着強度よりも高いことが必要で、貼着強度よりも低いと剥離作業が困難になる。
【００２６】
また、密着フィルムは、２％モジュラス（ASTM D882に準じ、２０mm幅の試料に対し、チャック間距離を２５０mm、引張速度を５mm／minで測定）が４０００kg／cm2以下であることが好ましく、２５０〜３０００であればより好ましい。２％モジュラスが４０００kg／cm2より大きいと、吸引ホースの挿入時に挿入口に亀裂が生じやすく、また、挿入された吸引ホースとの密着性が低下する。２５０kg／cm2未満であるフィルムは得られにくい。
この２％モジュラス値はフィルムの原材料およびその製法に依存して調整されるゴム弾性的特性の指標となるもので、残留歪や１００％伸長時張力に加えて又は代りとして本発明の密着フィルムの特性を表すことができる。
なお、ゴムシートや軟質ウレタンフィルムなどであると、原材料が高い上に、フィルム状に成形することが容易でなく、コストが高くなるので望ましくない。したがって、その点ではポリオレフィンからなるものが最適である。
【００２７】
【実施例】
［試験例１］
密着フィルムとして表３に示す１４種のフィルムを用いて、上述した図１に示されている密着フィルム付き支持板を製造し、吸引ホースの着脱等による影響を試験した。
表３中、フィルムＮｏ.１〜５はそれぞれ順に表１に示す樹脂Ｉ〜Ｖをフィルム状に成形したものであり、フィルムＮｏ.６〜１４はそれぞれ順に表２に示す市販されているフィルム（市販Ｉ〜IX）である。
表１に示されている各樹脂は以下のようにしてフィルム状に成形した。
それぞれの樹脂をリップ間隔０.６mm、リップ幅２１０mmのＴダイを備えた溶融押出機からシート状に押し出し、その押出シートの片面を引取り冷却ロール（Ｔダイとの距離が１０mm、ロール表面温度が５０±２℃）上に、他面側から約２０℃の空気を噴射押圧しながら密着させて引き取った。続いて、他の冷却ロール群で搬送しながら常温に冷却し、低張力自動調節巻取機でボビン上に幅２１０mm、厚さが６０μｍになるように巻き取った。この厚さは、押出量と引取り冷却ロールの周速の関係を制御することにより調整できるもので、引取り冷却ロールの周速を２０ｍ／分として押出量で調整した。また、この条件でフィルム成形を行なうことで、２％モジュラス値を４０００kg／cm2以下に抑制できた。
【００２８】
【表１】
0003786749.tif 000002
【００２９】
【表２】
0003786749.tif 000003
【００３０】
また、各フィルムについて、破断強度、残留歪み、１００％伸張時張力、２％モジュラスを測定した。測定結果を表３に示す。
各物性の試験方法は次の通りである。
破断強度（kg／cm2）は、JIS Z1702に準じて測定したもので、試料片として、幅が１５mm、長さが４０mmのものを用い、チャック間距離を２０mm、引張速度を５００mm／minとした。
残留歪（％）は、JIS K7127に準じて測定したもので、試料片として、幅が１５mm、長さが４０mmのものを用い、チャック間距離を２０mm、引張速度を５００mm／minとした。
１００％伸張時張力（ｇ／cm）は、JIS K7127に準じて測定したもので、試料片として、幅が１５mm、長さが４０mmのものを用い、チャック間距離を２０mm、引張速度を５００mm／minで２倍に引き延ばしたときの張力を測定し、試料幅で除した値である。
２％モジュラス（kg／cm2）は、ASTM D882に準じて測定したもので、試料片として、幅が２０mm、長さが３００mmのものを用い、チャック間距離を２５０mm、引張速度を５mm／minとし、次式により求めた。
２％モジュラス＝｛（荷重値(kg)）／（幅(cm)×厚み(μm)）｝×50×10000
ここで、荷重値とは、図９に示すように、試験片を引き延ばした際の測定曲線の初期傾き直線（接線）について、引延ばし長さが２％のときの値である。
尚、図９においては、測定誤差を低減するため、チャート速度を調整して初期傾き直線が約４５゜になるようにしている。
【表３】
0003786749.tif 000004
表３中、各フィルムの上段はフィルム成形時の縦方向（ＭＤ）に沿って、同下段は横方向（ＴＤ）に沿って各測定を行なったときの値である。
後述するこれらの各物性値に起因する評価は、ＭＤ方向およびＴＤ方向の各値を参照しつつ、両測定値の平均値を基準にして行なっている。
【００３１】
密着フィルム付き支持板を製造するにあたっては、まず、ボール紙を支持板の所定の略四辺形状（１００mm×１１０mm）に打ち抜き、分離可能体を切欠き、導入口（口径：５２mm）を穿設した。そして、正方形状（７５mm×７５mm）に裁断した上記各フィルムを支持板に導入口を中心にその周部に接着剤で剥離自在な強度（約１５０g/15mm）で貼着した。そして、導入口と同心円状に口径が２４mmの挿入口を穿設し、密着フィルムの貼着された支持板を作製した。各フィルム毎に４つづつ作製した。
作製した密着フィルム付き支持板を実際に４種の電気掃除機（機種Ａ〜Ｄ）に取り付け、吸引ホースの取付具への着脱を１００回繰り返し、以下に示す４項目について評価した。
尚、各評価は着脱回数が、１回目、５回目、１０回目、２５回目、５０回目、７５回目、１００回目のときに観察したもので、フィルムに大きな欠陥が生じたときに試験を終了した。
【００３２】
▲１▼吸引ホース挿入時の抵抗感評価
吸引ホースを取付具に取り付けた際の抵抗による違和感の有無について評価した。評価基準は次の通りである。
○：抵抗感無し
△：着脱回数が１〜５回目は多少の抵抗感が有るものの、その後は抵抗感がなくなったもの。
×：抵抗感が大きく、５回目以降にも抵抗感が認められたもの。
【００３３】
▲２▼挿入口周部状態評価
吸引ホースの着脱を繰り返すことによる密着フィルムの挿入口の周部の状態変化を評価した。評価基準は次の通りである。
○：吸引ホースの着脱を１００回繰り返しても、挿入口の周部に、吸引ホースに押されて伸びてなる突出変形が生じる程度で支障は生じないもの。
△：５〜２５回目で、周部に生じた突出変形に隆起変形または小さな亀裂が生じて、エアータイト性の低下をきたしたもの。
×：１〜５回目で大きな亀裂または歪変形が生じてしまったもの。
【００３４】
▲３▼吸引ホースの周面に密着する部分の状態変化評価
密着フィルムの、吸引ホースの周面に密着すべき部分の状態変化を評価した。評価基準は次の通りである。尚、機種Ｂ，Ｃにおいては、吸引ホースの周面と密着フィルムとの間に舌片状パッキンが介在して、密着フィルムは吸引ホースに密着する。
○：密着フィルムの挿入口の周部が突出変形しつつ吸引ホースに密着している状態が１００回目迄続いたもの。
△：密着フィルムの挿入口の周部が突出変形し、吸引ホースに部分的に密着しないことが時折生じたもの。
×：密着フィルムの挿入口の周部が突出変形し、１〜２５回目で既に吸引ホースに密着しなくなったもの。
【００３５】
▲４▼吸引ホースの回転への適応性評価
電気掃除機に取り付けた吸引ホースを左右に回転させた際の、吸引ホースと密着フィルムの状態を観察した。評価基準は次の通りである。尚、この評価は下記機種Ｄについてのみ行った。
○：吸引ホースの回転に対応して、密着フィルムも大きく捩れて追随し、吸引ホースの過剰回転に対しては吸引ホースと密着フィルムの間でスリップすることで対応したもの。
△：密着フィルムの捩れは小さく、吸引ホースの回転に対しては吸引ホースと密着フィルムの間でスリップすることでほとんど対応したもの。
×：密着フィルムの捩れは全くなく、吸引ホースの回転に対しては吸引ホースと密着フィルムの間でスリップすることで対応したもの。
【００３６】
また、これらの各評価に基づいて総合評価を行った。総合評価の評価基準は次の通りである。
◎：全ての機種に対する上記各評価結果（１３評価）が、全て○に該当したもの。
□：同様に、全ての機種に対する上記各評価結果において、△評価が１〜３つで、他は全て○評価であったもの。
■：同様に、全ての機種に対する上記各評価結果において、△評価が４つで、他は全て○評価であったもの。
×：◎、□、■以外のもの。
【００３７】
試験に供した電気掃除機は、以下の４タイプのものである。
［機種Ａ］
吸引ホースの外径は３６mmであり、吸引ホースを取付具に取り付けると、その先端が集塵袋の袋本体内に約１５mm突出する。吸引ホースを回転させても、取付具に取り付けられた吸引ホースの先端は回転しない。また、取付具には舌片状パッキンは設けられていない。吸引仕事量：２００Ｗ
［機種Ｂ］
吸引ホースの外径は３６mmであり、吸引ホースを取付具に取り付けると、その先端が集塵袋の袋本体内に約１５mm突出する。吸引ホースを回転させても、取付具に取り付けられた吸引ホースの先端は回転しない。また、取付具には舌片状パッキンが設けられており、吸引ホースを取り付けることにより、吸引ホースの周面には先端まで舌片状パッキンが密着する。吸引仕事量：３６０Ｗ
【００３８】
［機種Ｃ］
吸引ホースの外径は３６mmであり、吸引ホースを取付具に取り付けると、その先端が集塵袋の袋本体内に約１５mm突出する。吸引ホースを回転させても、取付具に取り付けられた吸引ホースの先端は回転しない。また、取付具には舌片状パッキンが設けられており、吸引ホースを取り付けることにより、吸引ホースの周面には接続口から先端に向けて約５mmの位置まで舌片状パッキンが密着する。吸引仕事量：３２０Ｗ
［機種Ｄ］
吸引ホースの外径は３８mmであり、吸引ホースを取付具に取り付けると、その先端が集塵袋の袋本体内に１５mm突出する。吸引ホースを回転させると、取付具に取り付けられた吸引ホースの先端も回転する。また、取付具には舌片状パッキンが設けられており、吸引ホースを取り付けることにより、吸引ホースの周面に舌片状パッキンが密着するものの、舌片状パッキンの長さが短いので、この舌片状パッキンは密着フィルムには殆ど接触しない。吸引仕事量：４００Ｗ
【００３９】
【表４】
0003786749.tif 000005
表３，４から、残留歪が６５％以下、１００％伸長時張力が１２００g/cm以下、破断強度が１００kg／cm2以上の密着フィルム（フィルムＮｏ.１〜１１）を用いたものであると、総合評価が良好であり、残留歪が５０％以下、１００％伸長時張力が１０００g/cm以下、破断強度が１００kg／cm2以上の密着フィルム（フィルムＮｏ.１〜６、８、９）であるとさらに良好であり、残留歪が４５％以下、１００％伸長時張力が９５０g/cm以下、破断強度が１４０kg／cm2以上の密着フィルム（フィルムＮｏ.１〜６、９）であると極めて優れていることがわかる。尚、フィルムＮｏ.１４についての破断強度、１００％伸長時張力、２％モジュラスは測定できなかった。
【００４０】
［試験例２］
上記試験例１において、フィルムＮｏ.１の密着フィルムを貼着した支持板を用いた集塵袋と、この集塵袋から密着フィルムの代りに従来から使用されている発泡体パッキンを設けた集塵袋（市販されている共用型集塵袋）とについて以下に示す比較試験を行った。発泡体パッキンは外周径が７４mm、内周径が５２mm、厚みが約１.１mmの円環状のもので、無架橋ポリエチレン発泡体からなるものである。
これら２種の集塵袋をそれぞれ電気掃除機内に装着し、電気掃除機を作動させて、６０ｇの小麦粉を急激に吸引させ、続いて、吸引ホースの吸引口を手で閉塞し離す動作を３回行なう空運転を行って、吸引ホース内に滞留した小麦粉をも極力集塵袋内に吸い込ませた後、電気掃除機の集塵室内への小麦粉の漏れ状態を確認した。この吸引試験を集塵袋１つ当り６回繰り返した。尚、小麦粉の漏れが確認された時点で試験を終了させた。
【００４１】
尚、実際の一般使用者による使用に近似させる為、発泡体パッキン付集塵袋については、吸引試験を行なう前に、電気掃除機の取付具への装着作業を３回繰り返した。また、密着フィルム付集塵袋については、試験条件を敢えて厳しくする為、吸引試験を行なう前に、吸引ホースの着脱作業を１０回繰り返した。
試験は、５人のモニタの各人が、それぞれ１種の集塵袋について上記４機種（機種Ａ〜Ｄ）の各電気掃除機に対して５回行ない、総合計で１種の集塵袋について１００個行なった。
その結果、本実施例の密着フィルムを用いた集塵袋であると、１００個の全てについて、小麦粉の漏れは認められず、エアータイト性の極めて高いことが明かとされた。対して、密着フィルムをもたない集塵袋であると、軽度に漏れたものが３０袋、支障が生じる程度に漏れたものが１５袋生じた。これを機種別にみると、機種Ｂが最も漏れ不良が多く、次いで、機種Ｄの漏れ不良が目立った。
【００４２】
【発明の効果】
本発明によれば、簡易な構成でありながら、複数種の電気掃除機、特に、吸引ホースの口径が小さい掃除機に対しても、装着できる上に、高いエアータイト性を発揮することができる。特に、従来、共用型集塵袋に必要とされていた発泡体パッキンを不要とし、発泡体パッキンに起因して生じた支持板の変形等によるエアータイト性の低下を回避して高いエアータイト性が発揮される。
本発明に用いた密着フィルムは、フィルム端を摘んで手で引き捲れば容易に剥離するので、口径の太い吸引ホースをもつ掃除機にも共用できる。
【図面の簡単な説明】
【図１】  本発明の集塵袋の一例を示すもので、図１（ａ）は平面図、図１（ｂ）は図１（ａ）のＹ−Ｙ側断面図、図１（ｃ）は図１（ａ）のＸ−Ｘ側断面図である。
【図２】  本発明の集塵袋の他の実施形態例を示すもので、図２（ａ）は平面図、図２（ｂ）は図２（ａ）のＹ−Ｙ側断面図、図２（ｃ）は図２（ａ）のＸ−Ｘ側断面図である。
【図３】  本発明の集塵袋の他の実施形態例を示す斜視図である。
【図４】  本発明の集塵袋を電気掃除機に装着したところの部分拡大断面図である。
【図５】  従来例の集塵袋を示す斜視図である。
【図６】  集塵袋の電機掃除機への装着を示す部分斜視図である。
【図７】  従来例の集塵袋を電気掃除機に装着したところの部分拡大断面図である。
【図８】  従来例の集塵袋を電気掃除機に装着したところの部分拡大断面図である。
【図９】  ２％モジュールの測定方法を示すグラフである。
【符号の説明】
１０  集塵袋
１１  袋本体
１２  支持板
１３  吸入口
１４  導入口
３０  支持板
３１  支持板
３２  密着フィルム
３４  挿入口
４１  分離可能体
４８  分離可能体
５１  分離可能体
５３  分離可能体
５４  装着可能体
６０  装着可能体
６４  支持板
【図１】
0003786749.tif 000006
【図２】
0003786749.tif 000007
【図３】
0003786749.tif 000008
【図４】
0003786749.tif 000009
【図５】
0003786749.tif 000010
【図６】
0003786749.tif 000011
【図７】
0003786749.tif 000012
【図８】
0003786749.tif 000013
【図９】
0003786749.tif 000014